(57)【特許請求の範囲】
【請求項１】
複数のシートを積層、丁合した積層丁合シートの略中央部を、加熱及び加圧により糸が溶融して糸同士が融着又は糸が変形する性質を有する上糸と下糸を用いて、上糸を積層丁合シートに貫通させ、積層丁合シートの下面（下部）で前記上糸に下糸を絡み合わせて縫う二重環縫いにより、ミシン縫いした糸綴じ冊子を製本する糸綴じ冊子製本装置であって、複数のシートを積層し、積層シートを丁合する積層・丁合手段と、積層丁合シートの略中央部を前記二重環縫いによりミシン縫いする糸綴じ手段と、前記積層丁合シートの糸綴じ部分を上側と下側に設けた棒状の加熱ヒータにより加熱する加熱手段と、前記加熱後の積層丁合シートの糸綴じ部分を上側と下側に設けた回転ローラにより加圧する加圧手段と、前記加熱、加圧後の積層丁合シートに表紙を貼付する表紙貼付手段と、前記積層・丁合手段から表紙貼付手段まで積層シート又は積層丁合シートを順次間欠移動搬送する搬送手段とからなることを特徴とする糸綴じ冊子製本装置。
【請求項２】
複数のシートを積層、丁合した積層丁合シートの略中央部を、加熱及び加圧により糸が溶融して糸同士が融着又は糸が変形する性質を有する上糸と下糸を用いて、上糸を積層丁合シートに貫通させ、積層丁合シートの下面（下部）で前記上糸に下糸を絡み合わせて縫う二重環縫いにより、ミシン縫いした糸綴じ冊子を製本する糸綴じ冊子製本装置であって、複数のシートを積層し、積層シートを丁合する積層・丁合手段と、積層丁合シートの略中央部を前記二重環縫いによりミシン縫いする糸綴じ手段と、前記積層丁合シートの糸綴じ部分を、下側に設けた加熱用回転ローラと、上側に設けた加圧用回転ローラにより加熱と加圧を同時に行う加熱・加圧手段と、前記加熱・加圧後の積層丁合シートに表紙を貼付する表紙貼付手段と、前記積層・丁合手段から表紙貼付手段まで積層シート又は積層丁合シートを順次連続移動搬送する搬送手段とからなることを特徴とする糸綴じ冊子製本装置。
【請求項３】
複数のシートを積層、丁合した積層丁合シートの略中央部を、加熱及び加圧により糸が溶融して糸同士が融着又は糸が変形する性質を有する上糸と下糸を用いて、上糸を積層丁合シートに貫通させ、積層丁合シートの下面（下部）で前記上糸に下糸を絡み合わせて縫う二重環縫いにより、ミシン縫いした糸綴じ冊子を製本する糸綴じ冊子製本装置であって、複数のシートを積層し、積層シートを丁合する積層・丁合手段と、積層丁合シートの略中央部を前記二重環縫いによりミシン縫いする糸綴じ手段と、前記積層丁合シートの糸綴じ部分を、上側及び下側に設けた加熱及び加圧の機能を有する回転ローラにより加熱と加圧を同時に行う加熱・加圧手段と、前記加熱・加圧後の積層丁合シートに表紙を貼付する表紙貼付手段と、前記積層・丁合手段から表紙貼付手段まで積層シート又は積層丁合シートを順次連続移動搬送する搬送手段とからなることを特徴とする糸綴じ冊子製本装置。
【請求項４】
複数のシートを積層、丁合した積層丁合シートの略中央部を、加熱及び加圧により糸が溶融して糸同士が融着又は糸が変形する性質を有する上糸と下糸を用いて、上糸を積層丁合シートに貫通させ、積層丁合シートの下面（下部）で前記上糸に下糸を絡み合わせて縫う二重環縫いにより、ミシン縫いした糸綴じ冊子を製本する糸綴じ冊子製本装置であって、複数のシートを積層し、積層シートを丁合する積層・丁合手段と、積層丁合シートの略中央部を前記二重環縫いによりミシン縫いする糸綴じ手段と、前記積層丁合シートの糸綴じ部分を、下側に設けた加熱及び加圧の機能を有する回転ローラと上側に設けた固定式の回転ローラにより加熱と加圧を同時に行う加熱・加圧手段と、前記加熱・加圧後の積層丁合シートに表紙を貼付する表紙貼付手段と、前記積層・丁合手段から表紙貼付手段まで積層シート又は積層丁合シートを順次連続移動搬送する搬送手段とからなることを特徴とする糸綴じ冊子製本装置。
【発明の詳細な説明】
【０００１】
【発明の属する技術分野】
本発明は、偽造防止及び改竄防止が要求される旅券冊子等の糸綴じ冊子製本装置に関するものである。
【０００２】
【従来の技術】
従来、旅券冊子等の糸綴じ冊子は、冊子製本装置などにより、印刷が施された所定の大きさの用紙を必要枚数を積層した後、ミシンで糸綴じし、冊子の背側となる裏の糸目に沿って接着剤を塗布し、糸目を被覆するよう表紙を貼り付けている。前記糸目に接着剤を塗布する方法は、ローラ表面に接着剤を塗布した後、前記ローラ表面を冊子中の糸目に垂直に押し当てながら塗布する。また、接着剤を糸目に塗布する目的は、毛細作用を利用し糸綴じに使用される糸同士や糸と用紙を接着することで、糸のほつれを防止することにある。また、冊子背側の裏の糸目から接着剤を塗布することで、表紙の貼り付けによって隠蔽でき、より強固な糸綴じを可能にし、綴じ糸のほつれ防止効果が得られる。
【０００３】
特に、旅券冊子の偽変、改竄は、綴じ糸をほどいて、個人データが記載されているパーソナルページのみを差し替えることが多い。これを防止するための方法として、接着剤を用いて綴じ糸中の繊維間やミシン針によってあけられた穴に、毛細管現象によって接着剤を浸透させて強固にした冊子製本法（特開平２−１７２７９６号公報参照）があるが、これは糸目に含浸させた接着剤を硬化させるための乾燥時間を要するため、連続的な製造が不可能となり、生産性を著しく低下させる問題が生じていた。
【０００４】
この問題点を解決するために、通常糊の替わりに紫外線硬化型接着剤を使用することにより、紫外線を照射して瞬時に接着剤を強制乾燥させるようにした冊子製本装置（特開平１１−２４５５３５号公報参照）がある。
【０００５】
しかし、この装置は紫外線硬化型接着剤を塗布した直後に紫外線照光灯を用いて紫外線を照射し瞬時に乾燥するので、前記紫外線硬化型接着剤が綴じ糸に浸透せずに、紫外線硬化型接着剤は表層のみで硬化することとなり、偽造防止策としては、期待した効果が得られていないのが現状である。そのため、この問題を解消するために、紫外線硬化型接着剤を綴じ糸に塗布した後、一定の時間を経過して、紫外線を照射すれば良いが、連続的に製本する製造装置では、搬送装置が長くするなどの必要があり、多くの製造スペースが必要となり、しかも、作業効率が悪いという問題があった。
【０００６】
また、前記綴じ糸に天然繊維を使用する場合、天然繊維は短繊維であるため、糸綴じ後の隣り合う前記綴じ冊子間の糸を断裁する時に、綴じ糸の短繊維がほつれ飛散するため冊子のページ間や紫外線硬化型接着剤の塗布装置に混入する場合もある。この対策として、冊子製造工程において冊子側面をブラシでこすりながら吸引する等の処置が図られているが、完全に解消することは難しく、装置的にも多くの費用を必要としていた。
【０００７】
【発明が解決しようとする課題】
本発明は、これら問題点を解決するもので、糸綴じした旅券冊子の糸目に糊等の接着剤を塗布することなく、ほつれ難い堅牢な糸綴じを行い、旅券冊子の偽造防止効果を向上させることである。
【０００８】
【課題を解決するための手段】
（１）本発明は、複数のシートを積層、丁合した積層丁合シートの略中央部を、加熱及び加圧により糸が溶融して糸同士が融着又は糸が変形する性質を有する上糸と下糸を用いて、上糸を積層丁合シートに貫通させ、積層丁合シートの下面（下部）で前記上糸に下糸を絡み合わせて縫う二重環縫いにより、ミシン縫いした糸綴じ冊子を製本する糸綴じ冊子製本装置であって、複数のシートを積層し、積層シートを丁合する積層・丁合手段と、積層丁合シートの略中央部を前記二重環縫いによりミシン縫いする糸綴じ手段と、前記積層丁合シートの糸綴じ部分を上側と下側に設けた棒状の加熱ヒータにより加熱する加熱手段と、前記加熱後の積層丁合シートの糸綴じ部分を上側と下側に設けた回転ローラにより加圧する加圧手段と、前記加熱、加圧後の積層丁合シートに表紙を貼付する表紙貼付手段と、前記積層・丁合手段から表紙貼付手段まで積層シート又は積層丁合シートを順次間欠移動搬送する搬送手段とからなる糸綴じ冊子製本装置である。
【０００９】
（２）本発明は、複数のシートを積層、丁合した積層丁合シートの略中央部を、加熱及び加圧により糸が溶融して糸同士が融着又は糸が変形する性質を有する上糸と下糸を用いて、上糸を積層丁合シートに貫通させ、積層丁合シートの下面（下部）で前記上糸に下糸を絡み合わせて縫う二重環縫いにより、ミシン縫いした糸綴じ冊子を製本する糸綴じ冊子製本装置であって、複数のシートを積層し、積層シートを丁合する積層・丁合手段と、積層丁合シートの略中央部を前記二重環縫いによりミシン縫いする糸綴じ手段と、前記積層丁合シートの糸綴じ部分を、下側に設けた加熱用回転ローラと、上側に設けた加圧用回転ローラにより加熱と加圧を同時に行う加熱・加圧手段と、前記加熱・加圧後の積層丁合シートに表紙を貼付する表紙貼付手段と、前記積層・丁合手段から表紙貼付手段まで積層シート又は積層丁合シートを順次連続移動搬送する搬送手段とからなる糸綴じ冊子製本装置である。
【００１０】
（３）本発明は、複数のシートを積層、丁合した積層丁合シートの略中央部を、加熱及び加圧により糸が溶融して糸同士が融着又は糸が変形する性質を有する上糸と下糸を用いて、上糸を積層丁合シートに貫通させ、積層丁合シートの下面（下部）で前記上糸に下糸を絡み合わせて縫う二重環縫いにより、ミシン縫いした糸綴じ冊子を製本する糸綴じ冊子製本装置であって、複数のシートを積層し、積層シートを丁合する積層・丁合手段と、積層丁合シートの略中央部を前記二重環縫いによりミシン縫いする糸綴じ手段と、前記積層丁合シートの糸綴じ部分を、上側及び下側に設けた加熱及び加圧の機能を有する回転ローラにより加熱と加圧を同時に行う加熱・加圧手段と、前記加熱・加圧後の積層丁合シートに表紙を貼付する表紙貼付手段と、前記積層・丁合手段から表紙貼付手段まで積層シート又は積層丁合シートを順次連続移動搬送する搬送手段とからなる糸綴じ冊子製本装置である。
【００１１】
（４）本発明は、複数のシートを積層、丁合した積層丁合シートの略中央部を、加熱及び加圧により糸が溶融して糸同士が融着又は糸が変形する性質を有する上糸と下糸を用いて、上糸を積層丁合シートに貫通させ、積層丁合シートの下面（下部）で前記上糸に下糸を絡み合わせて縫う二重環縫いにより、ミシン縫いした糸綴じ冊子を製本する糸綴じ冊子製本装置であって、複数のシートを積層し、積層シートを丁合する積層・丁合手段と、積層丁合シートの略中央部を前記二重環縫いによりミシン縫いする糸綴じ手段と、前記積層丁合シートの糸綴じ部分を、下側に設けた加熱及び加圧の機能を有する回転ローラと上側に設けた固定式の回転ローラにより加熱と加圧を同時に行う加熱・加圧手段と、前記加熱・加圧後の積層丁合シートに表紙を貼付する表紙貼付手段と、前記積層・丁合手段から表紙貼付手段まで積層シート又は積層丁合シートを順次連続移動搬送する搬送手段とからなる糸綴じ冊子製本装置である。
【００１２】
【発明の実施の形態】
本発明の糸綴じ冊子製本装置の概略工程は、図１に示すような積層・丁合工程１、糸綴じ工程２、加熱・加圧工程３及び表紙貼付工程４からなる。また、本発明の糸綴じ冊子製本装置は、図２に示すような複数のシートを積層した積層シートの略中央部を上糸と下糸によりミシン縫いした糸綴じ冊子を製本する糸綴じ冊子製本装置であって、複数のシートを積層し、積層シートを丁合する積層・丁合部Ａと、積層丁合シートの略中央部を上糸と下糸によりミシン縫いする糸綴じ部Ｂと、前記積層丁合シートの糸綴じ部分を加熱する加熱部Ｃと、前記積層丁合シートの糸綴じ部分を加圧する加圧部Ｄと、前記加熱・加圧後の積層シートに表紙を貼付する表紙貼付部Ｅとからなる。
【００１３】
本発明の糸綴じ冊子製本装置では、図２に示す積層・丁合部Ａで図３に示すような、複数のシート３４を積層した積層丁合シート３５を作製し、図２に示す糸綴じ部Ｂで、この積層丁合シート３５の略中央部を図５（ａ）に示すような上糸３８と下糸３９によりミシン縫いした糸綴じ冊子３６を形成し、図２に示す加熱部Ｃで図５（ｂ）に示すように、糸綴じ冊子３６を加熱することにより、糸綴じ部の上糸３８と下糸３９との交差部分３８Ａ及び下糸同士の重なり部分３９Ａ又はこれらの何れか一方が溶融固着又は変形する。
【００１４】
また、図５（ｃ）に示すように、図２に示す加圧部Ｄで更に糸綴じ部を加圧することにより、図５（ｂ）に図示の糸綴じ冊子３６の上糸３８と下糸３９との交差部分３８Ａ及び下糸同士の重なり部分３９Ａ又はこれらの何れか一方の溶融固着又は変形した部分を更に変形する。
【００１５】
【実施例】
本発明の糸綴じ冊子製本装置について以下に説明する。図２に示すように積層・丁合部Ａでは、冊子を構成するシート３４はフィーダユニット５の各積載テーブル６Ａ〜６Ｃに積載され、底部のシートから自動的に順次繰り出される。そして、繰り出されたシート３４は、搬送プッシャー７により前の積載テーブルの直下から次の積載テーブルの直下に搬送され、そのシート３４の上に次の積載テーブルから繰り出されたシート３４が落下し積層され、丁合されることによりシートを複数枚積層した積層丁合シート３５を形成する。
【００１６】
次に、糸綴じ部Ｂの説明をする。糸綴じ部Ｂでは、積層・丁合部Ａで形成された積層丁合シート３５が搬送プッシャー７によりミシン綴じユニット８に搬送され、上側搬送ベルト９と下側搬送ベルト１０に挟まれながら搬送され、ミシン１１によりシート３４の中央部を搬送方向に上糸と下糸の２本の糸で縫い合わされる。その結果、前記図３に示すような、上糸と下糸の２本の糸で縫い合わされた糸綴じ冊子３６に糸目３７が形成される。同様に、後続の積層丁合シート３５が順次搬送され連続してミシン綴じされる。その結果、連続する糸綴じ冊子間は綴じ糸により連結される。この糸綴じ冊子間を連結する綴じ糸は、下刃１２が固定され、上刃１３がエアシリンダーを用いた昇降機構で上下運動する糸切りカッター１４により切断される。
【００１７】
次に、加熱部Ｃ及び加圧部Ｄの説明をする。糸綴じ部Ｂで形成された糸綴じ冊子３６は加熱部Ｃの加熱ユニット１５及び加圧部Ｄの加圧ユニット１６に搬送され、糸綴じ冊子３６の糸目３７は該両ユニットにより加熱及び加圧される。
【００１８】
加熱ユニットは図２に示すように棒状の加熱ヒータ１７及び温度コントローラ１８から構成される。棒状の加熱ヒータ１７は温度コントローラ１８によって、ヒータ表面温度を１００℃から２００℃の間で微調整できる機構になっており、棒状の加熱ヒータ１７の表面温度がディジタル表示される。また、加圧ユニットは、加圧用の回転ローラ１９及び加圧量調整機構２０から構成される。回転ローラ１９は加圧量調整機構２０によって加圧量を微調整できる機構になっており、回転ローラ１９の加圧量はディジタル表示される。
【００１９】
また、上述の方法は、加熱装置と加圧装置を夫々の機械に分割して各工程での処理を行ったが、加熱装置と加圧装置の２つの機能を同時に付加した機能としても良い。
【００２０】
例えば、図４（ａ）、図４（ｂ）及び図４（ｃ）は、糸綴じされた冊子の糸目を加熱及び加圧するための加熱及び加圧装置の２つの機能を同時に付加した装置の構成をそれぞれ説明する図であり、加熱装置及び加圧装置を共にローラ形状としたものである。図４（ａ）は、糸綴じ冊子の下側を加熱装置で加熱し、上側を加圧装置で加圧する機構である。加熱装置は、加熱用の回転ローラ４４及び温度コントローラ１８で構成されている。また、加圧装置は、加圧用の回転ローラ４３及び加圧量調整機構２０で構成されている。
【００２１】
糸綴じ冊子３６は、加熱及び加圧により糸が溶融して糸同士が融着するか、あるいは糸が変形する性質を有する糸でミシン綴じされ、加熱用の回転ローラ４４と加圧用の回転ローラ４３の間を通過する際に、加熱用の回転ローラ４４によって冊子の背側となる裏側の糸目の糸に熱が伝わる。その熱によって糸が溶融し糸同士が融着するか、あるいは糸が変形することで本発明の所用の効果が得られる。
【００２２】
また、図４（ｂ）は、加熱機能及び加圧機能の両方の機能を具備した装置で糸綴じ冊子の下側及び上側をそれぞれ加熱及び加圧するものである。加熱用の回転ローラ４４は温度コントローラ１８により加熱され、さらに加圧量調整機構２０で加圧されるもので、図４（ａ）と同様の効果が得られる。
【００２３】
また、図４（ｃ）に示すように、糸綴じ冊子の下側を加熱機能及び加圧機能の両方の機能を具備した構成とし、糸綴じ冊子の上側を固定式の回転ローラ４５とした構成でも同様の効果が得られる。
【００２４】
以上のとおり、加熱用の回転ローラ４４及び加圧用の回転ローラ４３は冊子の糸目の糸を加熱、加圧するものであることから、シート全面をカバーする面長は必要ないが、冊子の搬送速度が速い場合は、一対の加熱装置では十分な加熱が行えないため、複数配列してもよい。また、ローラでなくとも、前記のように棒状の加熱装置及び加圧装置であっても得られる効果は同じであることは言うまでもない。
【００２５】
なお、加熱装置及び加圧装置がローラ形状の場合は、糸綴じ冊子の搬送は連続移動による搬送となり、同装置が棒状の場合は、間欠移動による搬送となる。
【００２６】
次に、表紙貼付部Ｅの説明をする。図２の中間集積ユニット２１では加熱部Ｃ及び加圧部Ｄを経た糸綴じ冊子３６が集積機構２２に集積される。次にそれら冊子は、エアサッカー２３と回転式フィーダ２４によって集積された冊子の底部から順次繰り出され、前記糸綴じ冊子３６は表裏反転され、冊子の背側となる裏側が上になり、下流搬送ラインに落下する。次に表紙貼付ユニット２５に搬送される。
【００２７】
表紙貼付ユニット２５では、図示しない表紙供給ユニットからエアサッカーと上下の搬送ベルトによって繰り出された表紙２６が、表紙貼付ユニット２５のサクションプレート２７によって表紙表面が吸着されるとともに、グリッパー２８で保持され、冊子搬送ライン側面から図示しない塗布ローラを通過する。該塗布ローラによって表紙貼付け用の接着剤が表紙裏面に均一に塗布され、接着剤が塗布された表紙は前記ミシン綴じされた糸綴じ冊子３６の中央に置かれる。次に表紙が貼り付けられた糸綴じ冊子３６は、平プレスユニット２９で一冊毎に全面均一な平らなプレス板３０により、クランク機構によって上面から冊子全面を一定時間加圧（プレス）される。
【００２８】
前述のとおり本発明の糸綴じ冊子製本装置に用いる糸綴じ冊子の糸は、加熱及び加圧により糸が溶融して糸同士が融着するか、あるいは糸が変形する性質を有するものである必要がある。しかし、この糸の性質により加熱及び加圧を経た糸綴じ冊子は、綴じ糸または綴じ糸同士が変形、融着などを生じた後、硬化することによって、ほつれ難くなり、旅券冊子の偽造、改竄防止効果を向上させることができる。図５（ａ）は、複数枚積層したシート層３５をミシンにより上記性質を有した上糸３８及び下糸３９で糸綴じした冊子３６の断面図であり、積層丁合シート３５のほぼ中央部で上糸３８と下糸３９が縫い合わされている。この結果、ミシン針による針穴４０も形成されている。この縫い方は上糸３８を前記シート層３５に貫通させ、積層丁合シート３５の下部で前記上糸３８に下糸３９を絡み合わせて縫う「二重環縫い」という縫い方で綴じられている。
【００２９】
上述の方法で綴られた糸綴じ冊子３６は、次に加熱されるが、この時、旅券冊子のシートに対し焦げ等の影響を与えない範囲の温度、すなわち１００℃〜２００℃程度で加熱することが好ましい。よって、前記綴じ糸の融点も該範囲内の融点であることが好ましい。図５（ａ）に図示した前記「二重環縫い」で綴じた糸綴じ冊子３６を、棒状の加熱ヒータ４１により上下から、１００℃〜２００℃程度の加熱温度で加熱した場合の前記上糸３８と前記下糸３９が熱融着した冊子断面を示したものが図５（ｂ）である。この結果、前記上糸３８と前記下糸３９が熱により変形及び融着し、融着部分４２を生じる。更に、綴じ糸を強固に融着する方法として、冊子の糸目を加熱した後、さらにその糸目を加圧することが好ましい。例えば、図５（ａ）に図示した前記「二重環縫い」で綴じた糸綴じ冊子３６を、図５（ｂ）に図示したように前記上糸３８と前記下糸３９が熱融着した後、上下の加圧用の回転ローラ４３で加圧することにより、前記上糸３８と前記下糸３９の変形がより顕著になる。この結果、偽造、改竄がより困難となる。
【００３０】
以上より、本発明を実施するための糸綴じ冊子製本装置は、所定の大きさのシートに図柄を印刷した後、積層・丁合、糸綴じ、加熱、加圧、表紙貼付を行うことで実現できるが、連続的に一括処理できる装置であっても、各工程毎の装置で単独で行っても問題ない。また、本実施例を行うにあたって、上述の製本方法に制約されるものではない。この時、加熱、加圧は同一の工程でも実現可能である。
【００３１】
このため、従来の冊子の背側となる裏の糸目に、糊を塗布して接着するという方法よりも、本実施例は、綴じ糸同士が融着、変形するため、綴じ糸がほつれることなく偽造、改竄に対して、より抵抗力のある糸綴じ冊子が提供できる糸綴じ冊子製本装置となる。
【００３２】
【発明の効果】
冊子の糸綴じに用いる糸を加熱により融着または変形する糸にし、本発明の糸綴じ冊子製本装置で冊子を糸綴じし、その冊子の糸目を加熱及び加圧することで、糸同士が融着または変形し、これによりほつれ難さが向上し旅券冊子等の糸綴じの偽変造防止効果を向上させることができる。
【００３３】
また、本発明の冊子製本装置を用いることによって、糊塗布装置及び紫外線照射装置が不用となり装置構成が簡略化できる。更に、糊塗布装置の清掃等のメンテナンスが不要となったことで生産性を向上させることができる。
【図面の簡単な説明】
【図１】  本発明に係る加熱装置及び加圧装置を具備した糸綴じ冊子製本装置の概略工程図である。
【図２】  本発明に係る加熱装置及び加圧装置を具備した糸綴じ冊子製本装置の概略図である。
【図３】  本発明に係る糸綴じ冊子の斜視図である。
【図４】  本発明に係る糸綴じ冊子の糸目を加熱及び加圧の２つの機能を同時に付加した装置の構成図である。
【図５】  本発明に係る糸綴じ冊子のミシンでの糸綴じ状態、糸の融着状態及び糸の変形状態の断面図である。
【符号の説明】
Ａ      積層・丁合部
Ｂ      糸綴じ部
Ｃ      加熱部
Ｄ      加圧部
Ｅ      表紙貼付部
１      積層・丁合工程
２      糸綴じ工程
３      加熱・加圧工程
４      表紙貼付工程
５      フィーダユニット
６Ａ    積載テーブル
６Ｂ    積載テーブル
６Ｃ    積載テーブル
７      搬送プッシャー
８      ミシン綴じユニット
９      上側搬送ベルト
１０    下側搬送ベルト
１１    ミシン
１２    下刃
１３    上刃
１４    糸切りカッター
１５    加熱ユニット
１６    加圧ユニット
１７    棒状の加熱ヒータ
１８    温度コントローラ
１９    加圧用の回転ローラ
２０    加圧量調整機構
２１    中間集積ユニット
２２    集積機構
２３    エアサッカー
２４    回転式フィーダ
２５    表紙貼付ユニット
２６    表紙
２７    サクションプレート
２８    グリッパー
２９    平プレスユニット
３０    平らなプレス板
３４    シート
３５    積層丁合シート
３６    糸綴じ冊子
３７    糸目
３８    上糸
３８Ａ  上糸３８と下糸３９の交差部
３９    下糸
３９Ａ  下糸の重なり部
４０    針穴
４１    棒状の加熱ヒータ
４２    熱融着部
４３    加圧用の回転ローラ
４４    加熱用の回転ローラ
４５    固定式の回転ローラ
【図１】
0004238347.tif 000002
【図２】
0004238347.tif 000003
【図３】
0004238347.tif 000004
【図４】
0004238347.tif 000005
【図５】
0004238347.tif 000006